(57)【要約】【課題】本発明は床面の凸状のコーナーに於いても、適切かつ完全に清掃することができる床清掃装置を提供する。【解決手段】駆動部１９は該床清掃装置本体９の動力源であって、該駆動部１９はモータ等で構成されており、該駆動部１９の下方つまりモータの出力軸２０には、振動パッド１１の中心ｃ１に対して所定の距離Ｘで偏心した出力軸２０の軸心ｃ２を有するボールベアリング２１ａの配列群等からなる水平振動機構２１が係合している。該水平振動機構２１に一体成形されかつ防水壁１４に支持軸１１ａで支持された角型振動パッド１１は水平振動を行い、該角型振動パッド１１に貼付された角型たわし状ブラシ１２により凸状床面の清掃を行う。【選択図】図２
2004105592.tif 000002
【特許請求の範囲】
【請求項１】
連結された回転傾斜自在の操作レバーを備えた床清掃装置に於いて、該床清掃装置本体内に介装された動力源としての駆動部と、該駆動部の回転出力により床面に接触する角型たわし状ブラシを放射状に振動させかつ偏心運動する水平振動機構と、該水平振動機構を備えると共に該水平振動機構に連動する振動パッドと、該振動パッドに着脱自在に係合させた角型たわし状ブラシとを具備したことを特徴とする角型たわし状ブラシを用いた床清掃装置。
【請求項２】
前記水平振動機構が、中心軸に対して所定距離で偏心した軸心を備えかつガイド溝内のボールベアリングの配列群を有する構成でなることを特徴とする請求項１記載の角型たわし状ブラシを用いた床清掃装置。
【請求項３】
前記水平振動機構が、中心軸に対して所定距離で偏心した軸心を備えかつガイド溝内のボールベアリングの配列群であって、振動パッドに一体形成したことを特徴とする請求項１記載の角型たわし状ブラシを用いた床清掃装置。
【請求項４】
前記角型たわし状ブラシが、該床清掃装置本体の底部より若干幅広のサイズに設定したことを特徴とする請求項１記載の角型たわし状ブラシを用いた床清掃装置。
【請求項５】
前記角型たわし状ブラシが、該床清掃装置本体の底部に配設する振動パッドにかぎ片付テープにより着脱可能に貼着したことを特徴とする請求項１記載の角型たわし状ブラシを用いた床清掃装置。
【請求項６】
連結された回転傾斜自在の操作レバーを備えた床清掃装置に於いて、動力源としての駆動部、該駆動部の回転出力により床面に接触する角型たわし状ブラシを放射状に振動させかつ偏心運動する水平振動機構を収容した該床清掃装置本体の箱型矩形状外部ケースを備えてなり、該水平振動機構を備えると共に該水平振動機構に連動する振動パッドを有し、該振動パッドに着脱自在に係合させた角型たわし状ブラシとを具備したことを特徴とする角型たわし状ブラシを用いた床清掃装置。
【請求項７】
前記箱型矩形状外部ケースの内壁間に前記駆動部の出力軸を支持する防水壁を橋架張設したことを特徴とする請求項６記載の角型たわし状ブラシを用いた床清掃装置。
【請求項８】
連結された回転傾斜自在の操作レバーを備えた床清掃装置に於いて、該床清掃装置本体の箱型矩形状外部ケース内に収容されてあって動力源としての駆動部及び該駆動部の回転出力により床面に接触する角型たわし状ブラシを放射状に振動させかつ偏心運動する水平振動機構と、該水平振動機構を備えると共に該水平振動機構に連動する振動パッドと、該振動パッドにかぎ片付テープにより着脱自在に係合させた角型たわし状ブラシと、前記箱型矩形状外部ケースの内壁間に橋架張設した前記駆動部の出力軸を支承する防水壁と、前記防水壁と前記振動パッドとの間に介設した屈曲可能な支持軸とを有したことを特徴とする角型たわし状ブラシを用いた床清掃装置。
【発明の詳細な説明】
【０００１】
【発明の属する技術分野】
本発明は床面のコーナーに於いても、適切かつ完全に清掃することができる床清掃装置に関するものである。
【０００２】
【従来の技術】
従来より、オフィスビルや駅構内等の床面を清掃する業務用の装置は、床をブラシで洗浄剤やワックス等を使用しつつ研磨する、いわゆるポリシャーとして種々の装置が実用化されている。
一方、一般家庭内の床面を清掃する家庭用の装置としては、我が国の住居の畳を中心とする基本的構造に従い、研磨ではなくバキューム吸引手段によるいわゆる電気掃除機が普及してきたところであるが、昨今のライフスタイルの変化が一般家庭の住居の構造にも影響を与えつつあり、主にダイニングルーム、リビングルーム又はサンルーム等の床面を畳やカーペット若しくは絨毯ではなくフローリング仕上げとする仕様が増加する傾向にある。
【０００３】
このような傾向から、一般家庭の住居でも使用できるポリシャーの需要が高まっているが、従来より業務用として実用化されているポリシャーは、床清掃装置本体の中に内蔵されたモーターの回転運動を利用して円型の磨き用マット若しくはブラシを回転させる方法であり、清掃が完全ではないという問題点、すなわち、床面と壁面が内部からみて凸に接している箇所には清掃残りが出てしまい、別途人間の手で隅々を清掃する手間が必要となっている。
【０００４】
▲１▼ここで、従来の技術に於ける回転ブラシ型床面清掃機の構成は、図３に示すようなものであった。これについて説明すれば、駆動源としてのモータ（図示せず）と、このモータの回転駆動力が伝達される太陽歯車や該太陽歯車に噛合し、その回転駆動力を伝達される遊星歯車等でなる歯車機構５を備えている。該歯車機構５は蓋６ａを備えた略円筒状の保護ケース６で被覆されている。前記回転ブラシ型床面掃除機の底部は回転ブラシ部７を備えており、操作レバー８の先端部８ａのスイッチ部を操作することにより、該回転ブラシ部７が回動動作を行い、各ビルやマンション等建造物の床面を清掃する。
【０００５】
▲２▼他の従来の技術としては、実用新案出願公開昭６１−１４８２５１号に開示された技術として角型床用ポリシャーがある。すなわち、図４に示すように、後部側面に操作ハンドル４が設けられた床清掃装置本体に於いて、該床清掃装置本体の外（前）に向けて部分的に突出する複数個の角型の清掃研磨用パット１を整列状態で配置し、床清掃装置本体には駆動部としてのモータ３が収納されている。該モータ３の回転出力は軸３ａにより伝達され、該軸３ａに設けられた当り腕３ｂがカム体２に接触することで、回転運動を直線往復運動に変換する。そして、この直線往復運動により床面に対し平行に設けられている清掃研磨用パット１が床面の清掃を行うものである。尚、当該考案には、業務用又は家庭用の特定に関する説明はなされていない。
また、従来の技術（図示せず）の他の例としては、従来の業務用床研磨機に内蔵されている回転式モーターを振動式モーターに、円型マットを角型マットに、それぞれ置換したことを特徴とする業務用振動式床研磨機や、家庭用としては、既に市場に販売されている人力による汚れ拭き取り用角型床清掃具に振動式モーターを取り付けることを特徴とする家庭用振動式床研磨機がある。
【０００６】
【発明が解決しようとする課題】
従来の技術は叙上の構成であるので、次の問題点が存在した。
▲１▼上記説明した従来の技術に於ける回転ブラシ型床面清掃機は、ブラシ部が装置本体に対し相対的に固定されており、かつ、床面に対し回転運動するのみである。従って、床面と壁面が凸に接している隅々、すなわち、床面や側壁下端部位のコーナー、例えば、図３に示す側壁下端部から１０〜２０（ｃｍ）のコーナー領域Ａはゴミ等が滞留しやすく汚れの発生原因の多い箇所であり、当該床面清掃機を操作する者は、汚れを完全に払拭することができないため、サンダ−やグラインダー等により手作業で清掃するしか方法がないという問題点があった。更に、図３に示す従来の技術に於ける回転ブラシ型床面清掃機は、装置本体の外径寸法Ｂがブラシ部７の外径寸法Ｃより大きいので、当該床面清掃機を側壁部やそのコーナーに押付けても前記コーナ領域Ａには該ブラシ部７が移動又は当接することができず、この部分の清掃は不可能であると同時に、当該床面清掃機の無理な押し付けにより側壁部下端を却って汚したり、はなはだしい場合は破損させたりする惧れもあった。
【０００７】
▲２▼上記説明した従来の技術に於ける角型床用ポリシャー等は、該角型床用ポリシャーを移動させるための操作ハンドルが当該ポリシャーの一方の側面、すなわち操作する者が押して取り扱うように取り付けられており、角型の清掃研磨体はその反対方向つまり作業上前面側のみに直線往復運動を行うものとなっている。従って、当該角型床用ポリシャーの壁面下端や凸部での作業性は限定されたものであり、小さな凹凸部に対応することが困難となる問題点がある。
【０００８】
【課題を解決するための手段】
本発明は、床清掃装置本体内に介装した偏心運動を行う水平振動機構により、該床清掃装置本体の底部に配設する振動パッドに貼着した角型たわし状ブラシを前後左右等放射状に運動させ、床面の汚れを完全に払拭しかつ当該清掃装置を労力を伴うことなく円滑に操作できることを目的としたものであって、次の構成、手段から成立する。
【０００９】
請求項１記載の発明によれば、連結された回転傾斜自在の操作レバーを備えた床清掃装置に於いて、該床清掃装置本体内に介装された動力源としての駆動部と、該駆動部の回転出力により床面に接触する角型たわし状ブラシを放射状に振動させかつ偏心運動する水平振動機構と、該水平振動機構を備えると共に該水平振動機構に連動する振動パッドと、該振動パッドに着脱自在に係合させた角型たわし状ブラシとを具備したことを特徴とする角型たわし状ブラシを用いた床清掃装置である。
【００１０】
請求項２記載の発明によれば、前記水平振動機構が、中心軸に対して所定距離で偏心した軸心を備えかつガイド溝内のボールベアリングの配列群を有する構成でなることを特徴とする請求項１記載の角型たわし状ブラシを用いた床清掃装置である。
【００１１】
請求項３記載の発明によれば、前記水平振動機構が、中心軸に対して所定距離で偏心した軸心を備えかつガイド溝内のボールベアリングの配列群であって、振動パッドに一体形成したことを特徴とする請求項１記載の角型たわし状ブラシを用いた床清掃装置である。
【００１２】
請求項４記載の発明によれば、前記角型たわし状ブラシが、該床清掃装置本体の底部より若干幅広のサイズに設定したことを特徴とする請求項１記載の角型たわし状ブラシを用いた床清掃装置である。
【００１３】
請求項５記載の発明によれば、前記角型たわし状ブラシが、該床清掃装置本体の底部に配設する振動パッドにかぎ片付テープにより着脱可能に貼着したことを特徴とする請求項１記載の角型たわし状ブラシを用いた床清掃装置である。
【００１４】
請求項６記載の発明によれば、連結された回転傾斜自在の操作レバーを備えた床清掃装置に於いて、動力源としての駆動部、該駆動部の回転出力により床面に接触する角型たわし状ブラシを放射状に振動させかつ偏心運動する水平振動機構を収容した該床清掃装置本体の箱型矩形状外部ケースを備えてなり、該水平振動機構を備えると共に該水平振動機構に連動する振動パッドを有し、該振動パッドに着脱自在に係合させた角型たわし状ブラシとを具備したことを特徴とする角型たわし状ブラシを用いた床清掃装置である。
【００１５】
請求項７記載の発明によれば、前記箱型矩形状外部ケースの内壁間に前記駆動部の出力軸を支持する防水壁を橋架張設したことを特徴とする請求項６記載の角型たわし状ブラシを用いた床清掃装置である。
【００１６】
請求項８記載の発明によれば、連結された回転傾斜自在の操作レバーを備えた床清掃装置に於いて、該床清掃装置本体の箱型矩形状外部ケース内に収容されてあって動力源としての駆動部及び該駆動部の回転出力により床面に接触する角型たわし状ブラシを放射状に振動させかつ偏心運動する水平振動機構と、該水平振動機構を備えると共に該水平振動機構に連動する振動パッドと、該振動パッドにかぎ片付テープにより着脱自在に係合させた角型たわし状ブラシと、前記箱型矩形状外部ケースの内壁間に橋架張設した前記駆動部の出力軸を支承する防水壁と、前記防水壁と前記振動パッドとの間に介設した屈曲可能な支持軸とを有したことを特徴とする角型たわし状ブラシを用いた床清掃装置である。
【００１７】
【発明の実施の形態】
本発明に係る角型たわし状ブラシを用いた床清掃装置の実施の形態について、添付図面に基づいて説明する。
【００１８】
図１は、本発明に係る角型たわし状ブラシを用いた床清掃装置の実施の形態を示す全体の構成であって、床面上を清掃している状態を示す斜視図である。
９は本発明に係る角型たわし状ブラシを用いた床清掃装置本体であって、外部ケース１０、角型振動パッド１１及び角型たわし状ブラシ１２を有している。該外部ケース１０は概ね箱型矩形状に成形され、その側面部の一部に例えば略中央部分には複数のライン状の孔を有するルーバー１３を備えている。９ａは給電ケーブルであり、コンセント等の外部電源に接続してモータ等でなる駆動部１９に通電させる。該床清掃装置本体９の底部には、該駆動部１９からの動力によって振動する水平振動機構２１を介して偏心運動する角型振動パッド１１が一体成形されている。該角型振動パッド１１の下面すなわち床面側には、清掃作業用等の角型たわし状ブラシ１２等を配備している。
【００１９】
外部ケース１０の側面部の略中央部分には、前記駆動部１９から運転時に発生する熱を放熱するためのルーバー１３が設けられており、本実施例では複数段すなわち４段のライン形状の孔で構成している。本発明はこれに限定されず、例えば網状孔や他の所望の形状、形成方法でも差し支えない。
【００２０】
１５は一端をヒンジ部１６を介して前記床清掃装置本体９又は外部ケース１０の上面に連結した操作レバーであり、その先端はグリップ部１７を備え、該操作レバー１５の適宜部位、特にグリップ部１７の近傍に駆動部１９に通電するスイッチでなる電気スイッチ手段１８を設けている。該電気スイッチ手段１８を清掃要員等が操作すれば、前記駆動部１９に通電し、該駆動部１９を動作し、前記水平振動機構２１等を振動動作させる。
また、前記ヒンジ部１６は一方軸１６ａ及び該一方軸１６ａに直交する他方軸１６ｂで構成し、該操作レバー１５を前後左右に回動可能に枢着しており、いわゆるユニバーサルジョイントを構成している。
【００２１】
前記操作レバー１５は、矢線方向Ｇ又はＨで示すように、図１から見れば、前記床清掃装置本体９の前後にそれぞれ略９０度つまり全体で略１８０度に、清掃要員等により回動可能に構成している。また、該操作レバー１５は同様に矢線方向Ｌ又はＲで示すように、前記床清掃装置本体９の左右にそれぞれ略９０度つまり全体で略１８０度に回動可能に構成している。該操作レバー１５の回動は、ボルトやユニバーサルジョイント等でなる一方軸１６ａ、他方軸１６ｂを中心に回動することにより行なわれるもので、前記清掃要員等の手動によって操作レバー１５の床面Ｄに対する傾き度合いを調整できる。従って、例えば、操作レバー１５を略横倒しすることにより、清掃要員等自身が入れない箇所であっても前記床清掃装置本体９の高さが許容する範囲内であれば、机や棚等の下や奥のスペースでも当該床清掃装置本体９を取扱うことができる。
尚、前記操作レバー１５の内部は、電気スイッチ手段１８と、駆動部１９等に接続する電線（図示せず）が引き回されている。
【００２２】
次に、図２に基づいて前記床清掃装置本体９の内部構造を説明する。
図２は、本発明に係る角型たわし状ブラシを用いた床清掃装置本体の要部概略を示すものであって、（ａ）は該床清掃装置本体の要部を切欠した側面図、（ｂ）は床清掃装置本体に備えた角型振動パッドの平面図である。
【００２３】
１９は該床清掃装置本体９の動力源としての駆動部であって、該駆動部１９はモータ等で構成されており、その出力軸２０は外部ケース１０の内壁に橋架張設した防水壁１４に、シール部材１４ａを介して支承されている。該駆動部１９の下方つまりモータの出力軸２０は、図２（ｂ）に示すように、該角型振動パッド１１の中心ｃ１に対して所定の距離Ｘで偏心した位置に軸心ｃ２を有する偏心出力軸であって、ボールベアリング２１ａの配列群等からなる水平振動機構２１を動作している。前記角型振動パッド１１は該水平振動機構２１に一体成形されており、前記防水壁１４との間にナイロン樹脂等からなる屈曲可能な支持軸１１ａを介して支持されている。そして、該支持軸１１ａは、自ら屈曲することにより角型振動パッド１１の水平振動を許容する役割を果たしている。
また、前記水平振動機構２１は駆動部１９に連動する構成であって、それ自体独自の部品で構成してもよいが、角型振動パッド１１を改変し又は造形することにより角型振動パッド１１自体に設ける。そして、該水平振動機構２１の本実施例では、ボールベアリング２１ａや該ボールベアリング２１ａをガイドする案内溝２１ｂ等で構成される。
【００２４】
前記角型たわし状ブラシ１２は、該角型振動パッド１１にかぎ片付テープ２２で着脱自在に貼付されている。この際、該テープ２２はかぎ片２２ａを有しており、該かぎ片２２ａを該角型振動パッド１１に係止かつ接着している。そして、洗浄やワックス掛け等の目的やフローリング仕上げやタイル等床面の材質、更には階段若しくは棚等の下など用途に応じて角型たわし状ブラシ１２以外にも種々の形態のブラシやマット等に容易に取り替えることができる。
【００２５】
図２（ａ）に於いて、前記外部ケース１０の内壁周囲に沿って洗浄時の感電を防止するための防水壁１４を設けている。そして、角型たわし状ブラシ１２側から進入した水等は該防水壁１４及びシール部材１４ａにより駆動部１９側に流入しないように構成している。
尚、該外部ケース１０の材質としては、鉄板のほか、アルミダイキャスト、プラスチック、ナイロン樹脂等で形成することもできる。
【００２６】
次に本発明に係る角型たわし状ブラシを用いた床清掃装置の実施の形態の動作を説明する。
清掃要員等は、手動にて当該床清掃装置本体９の操作レバー１５を適宜位置、例えば、略垂直位置まで立設設定して人力で床面Ｄ上のコーナ領域Ａに、角型たわし状ブラシ１２の先端が壁面Ｆに当接するように移動する。そして、電気スイッチ手段１８をオン操作すれば、該床清掃装置本体９内の駆動部１９に通電されることにより、前記水平振動機構２１を偏心運動させて前記角型振動パッド１１を高速に前後左右斜め等に水平振動させる。
而して、床清掃装置本体９の底部に備えた角型たわし状ブラシ１２が凸形状となっているコーナ領域の床面Ｄ上を研くように動作し、該床面Ｄ上のゴミや汚れ等の固形物を該床面Ｄから容易にかつ迅速に剥離させ、前記床面Ｄのコーナ領域Ａのみならず該床面Ｄ上の全域に渉り完全な清掃を行うものである。
【００２７】
この際、前記床清掃装置本体９又は外部ケース１０の幅長よりも該角型たわし状ブラシ１２は若干幅広に設定されているため、該床清掃装置本体９の外部ケース１０に妨げられることない。従って、該角型たわし状ブラシ１２の側面部位がガイドとなり、壁面Ｆにスライド接触しながら床面Ｄの清掃を円滑に行うことが可能となる。そして、壁面Ｆの最下端部位や当該床面のＡ領域やコーナ領域Ａの細部に角型たわし状ブラシ１２の縁部が必ず接触し、より一層円滑に清掃することが可能となる。
而して、当該本発明の床清掃装置９の移動が円滑であり、人力を伴う床面の清掃にあって極めて短時間に床面Ｄ等の清掃を行うことができる。
【００２８】
【発明の効果】
本発明に係る角型たわし状ブラシを用いた床清掃装置は、上述した構成、動作を有するので次の効果がある。
【００２９】
請求項１記載の発明によれば、連結された回転傾斜自在の操作レバーを備えた床清掃装置に於いて、該床清掃装置本体内に介装された動力源としての駆動部と、該駆動部の回転出力により床面に接触する角型たわし状ブラシを放射状に振動させかつ偏心運動する水平振動機構と、該水平振動機構を備えると共に該水平振動機構に連動する振動パッドと、該振動パッドに着脱自在に係合させた角型たわし状ブラシとを具備したことを特徴とする角型たわし状ブラシを用いた床清掃装置を提供する。
このような構成としたので、床面と壁面が凸に接している隅々、すなわち、床面や側壁下端部位のコーナーの汚れを完全に払拭することができる効果がある。また、該床清掃装置を移動させるための操作レバーが当該床清掃装置の上面にユニバーサルジョイント方式で取り付けられており前後左右及び回動自在となり、壁面下端や凸部での作業性が限定されず、特に一般家庭用として用いる場合に、小さな凹凸部に対応することができる効果がある。
【００３０】
請求項２記載の発明によれば、前記水平振動機構が、中心軸に対して所定距離で偏心した軸心を備えかつガイド溝内のボールベアリングの配列群を有する構成でなることを特徴とする請求項１記載の角型たわし状ブラシを用いた床清掃装置を提供する。
このような構成としたので、水平振動機構がボールベアリング等の小部品の組合せで成立し、振動パッド内に容易に備えることが可能であり、装置の小型化及び動作の正確さを確保し実施化が容易となる効果がある。
【００３１】
請求項３記載の発明によれば、前記水平振動機構が、中心軸に対して所定距離で偏心した軸心を備えかつガイド溝内のボールベアリングの配列群であって、振動パッドに一体形成したことを特徴とする請求項１記載の角型たわし状ブラシを用いた床清掃装置を提供する。
このような構成としたので、水平振動機構と振動パッドを一緒に成型可能とし、また、両者の部品管理を容易に行うことができ、小型かつ軽量の床清掃装置を生産できる効果がある。
【００３２】
請求項４記載の発明によれば、前記角型たわし状ブラシが、該床清掃装置本体の底部より若干幅広のサイズに設定したことを特徴とする請求項１記載の角型たわし状ブラシを用いた床清掃装置を提供する。
このような構成としたので、床清掃装置本体に妨げられることなく角型たわし状ブラシが壁面にスライド接触してガイドの機能を果たすことができ、当該床面清掃装置の無理な押し付けにより側壁部下端を却って汚したり、はなはだしい場合は破損させたりする惧れがない効果がある。
【００３３】
請求項５記載の発明によれば、前記角型たわし状ブラシが、該床清掃装置本体の底部に配設する振動パッドにかぎ片付テープにより着脱可能に貼着したことを特徴とする請求項１記載の角型たわし状ブラシを用いた床清掃装置を提供する。
このような構成としたので、洗浄用、ワックス用、タイル用、フローリング用等の種々の用途に適合した角型たわし状ブラシを簡易に付け替えることができ、汎用性の高い床清掃装置を提供できる効果がある。
【００３４】
請求項６記載の発明によれば、連結された回転傾斜自在の操作レバーを備えた床清掃装置に於いて、動力源としての駆動部、該駆動部の回転出力により床面に接触する角型たわし状ブラシを放射状に振動させかつ偏心運動する水平振動機構を収容した該床清掃装置本体の箱型矩形状外部ケースを備えてなり、該水平振動機構を備えると共に該水平振動機構に連動する振動パッドを有し、該振動パッドに着脱自在に係合させた角型たわし状ブラシとを具備したことを特徴とする角型たわし状ブラシを用いた床清掃装置を提供する。
このような構成としたので、箱型矩形状外部ケース内に駆動部及び水平振動機構をコンパクトに収容可能となり、装置全体を小型軽量化し、床清掃装置の移動が容易となり人力を伴う床面の清掃にあって極めて短時間に床面等の清掃を行うことができる効果がある。
【００３５】
請求項７記載の発明によれば、前記箱型矩形状外部ケースの内壁間に前記駆動部の出力軸を支持する防水壁を橋架張設したことを特徴とする請求項６記載の角型たわし状ブラシを用いた床清掃装置を提供する。
このような構成としたので、清掃作業に於ける床面等からの水の流入に際し、当該防水壁により駆動部への浸水を防止でき、浸水に伴う動作停止を防ぐと共に、装置の防錆機能を果たす効果がある。
【００３６】
請求項８記載の発明によれば、連結された回転傾斜自在の操作レバーを備えた床清掃装置に於いて、該床清掃装置本体の箱型矩形状外部ケース内に収容されてあって動力源としての駆動部及び該駆動部の回転出力により床面に接触する角型たわし状ブラシを放射状に振動させかつ偏心運動する水平振動機構と、該水平振動機構を備えると共に該水平振動機構に連動する振動パッドと、該振動パッドにかぎ片付テープにより着脱自在に係合させた角型たわし状ブラシと、前記箱型矩形状外部ケースの内壁間に橋架張設した前記駆動部の出力軸を支承する防水壁と、前記防水壁と前記振動パッドとの間に介設した屈曲可能な支持軸とを有したことを特徴とする角型たわし状ブラシを用いた床清掃装置である。
このような構成としたので、防水壁と振動パッドとの間に屈曲可能な支持軸を介設し、当該振動パッドを円滑に水平振動運動をさせ清掃品質を高める効果がある。
【図面の簡単な説明】
【図１】本発明に係る角型たわし状ブラシを用いた床清掃装置の実施の形態であって、その斜視図である。
【図２】本発明に係る角型たわし状ブラシを用いた床清掃装置本体の要部概略を示すものであって、（ａ）は該床清掃装置本体の一部を切欠した側面図、（ｂ）は角型振動パッド及び水平振動機構の該床清掃装置本体側の平面図である。
【図３】従来の技術に於ける回転ブラシ型床面清掃機の一例を示す斜視図である。
【図４】従来の技術に於ける角型床用ポリシャーの一例を示す側面図である。
【符号の説明】
１　　　清掃研磨用パット
２　　　カム体
３　　　モータ
３ａ　　軸
３ｂ　　当り腕
４　　　操作ハンドル
５　　　歯車機構
６　　　保護ケース
６ａ　　保護ケースの蓋
７　　　ブラシ部
８　　　操作レバー
８ａ　　操作レバーの先端部
９　　　本発明に係る角型たわし状ブラシを用いた床清掃装置本体
９ａ　　給電ケーブル
１０　　外部ケース
１１　　角型振動パッド
１１ａ　屈曲可能な支持軸
１２　　角型たわし状ブラシ
１３　　ルーバー
１４　　防水壁
１４ａ　シール部材
１５　　操作レバー
１６　　ヒンジ部
１６ａ　一方軸
１６ｂ　他方軸
１７　　グリップ部
１８　　電気スイッチ手段
１９　　駆動部
２０　　出力軸
２１　　水平振動機構
２１ａ　ボールベアリング
２１ｂ　案内溝
２２　　かぎ片付テープ
２２ａ　かぎ片
Ａ　　　床面上のコーナー領域
Ｂ　　　従来の床清掃機の外形寸法
Ｃ　　　従来の床清掃機のブラシ部の外径寸法
Ｄ　　　床面
Ｆ　　　壁面
Ｘ　　　偏心距離
ｃ１　　振動パッドの中心
ｃ２　　駆動部の出力軸の軸心
【図１】
2004105592.tif 000003
【図２】
2004105592.tif 000004
【図３】
2004105592.tif 000005
【図４】
2004105592.tif 000006